(57)【特許請求の範囲】
【請求項１】
製氷が完了した製氷皿を回転させて前記製氷皿内の氷を貯氷箱内へ落下させる自動製氷装置であって、
スイッチ操作カムが設けられ、前記製氷皿を回転させるカム歯車と、
ボタンを有するスイッチと、
第１の突起と第２の突起とを備え、第１の突起が前記スイッチの前記ボタンを押しきる方向に付勢され、第２の突起が前記スイッチ操作カムの凸部に接触しているときには前記第１の突起が前記スイッチの前記ボタンから離れるスイッチレバーとを備え、
前記スイッチは、前記スイッチレバーの前記第１の突起が前記ボタンから離れているときスイッチ信号はＨｉであり、前記第１の突起が前記ボタンを押しきるときスイッチ信号をＬｏへ反転させ、
前記カム歯車は、前記製氷皿が水平となる位置を離氷方向とは反対方向へ所定角度を超えて回転する区間を有しており、その区間において前記スイッチに所定の信号を継続して出力させるように前記スイッチレバーを操作することを特徴とする自動製氷装置。
【発明の詳細な説明】
【０００１】
【発明の属する技術分野】
本発明は冷蔵庫に備えられ、氷を自動的に生成可能とする自動製氷装置に関するものである。
【０００２】
【従来の技術】
近年、冷蔵庫用の自動製氷装置としては、小型化、低コスト化を達成するために、製氷皿の原点位置と離氷位置の検知及び氷過不足の検知を一つのスイッチで行わせる駆動部が採用されている。
【０００３】
従来の自動製氷装置としては特開平６−２４９５５６号公報、実開平６−７８７７０号公報に示されているものがある。
【０００４】
以下、図面を参照しながら上記従来の自動製氷装置を説明する。
【０００５】
図２２は従来の自動製氷装置の全体的な側面図であり、図２３は製氷皿の駆動部の破断拡大平面図である。
【０００６】
図２２において、１は製氷皿２を回転させる駆動部、３は製氷皿２の回転と連動して回動する氷検知レバーで、４は駆動部１と製氷皿２を保持するフレームである。５は製氷皿２の回転を阻止することで捩りを与える阻止部である。
【０００７】
図２３において、６は動力源であるモータで、７は減速歯車群であり、最終段には製氷皿２を回転させる駆動軸を有するカム歯車８を配置している。
【０００８】
カム歯車８は原点位置から１°逆転すると駆動部１の外郭ケース１ａと当たりロックして停止する様に構成されている。
【０００９】
９は氷検知レバーが取り付けられた検氷軸であり、カム歯車８の回転に連動して氷検知レバー３と検知部材１０を回動させる。
【００１０】
１１はカム歯車８が逆転し製氷皿２が復帰する過程でのみ検知部材１０の回動を阻止する規制部材である。
【００１１】
スイッチ信号は製氷皿２が原点位置、離氷位置に到達したときと、検知部材１０の回動が阻止されたときに発生する。
【００１２】
１２は製氷皿２の下方に配置され、製氷皿２から離氷した氷を貯蔵しておく貯氷箱である。
【００１３】
以上のように構成された従来の自動製氷装置について、以下その動作を説明する。
【００１４】
まず、製氷皿２に氷が生成されると、モータ６への通電が開始されカム歯車８が正転し製氷皿２が離氷位置に向かって回転する。このとき貯氷箱１２内の所定の高さまで氷が無いときは、検氷軸９が回動し氷検知レバー３と検知部材１０が回動することでスイッチ信号が発生せず氷不足と判断され、製氷皿２は離氷位置まで回転する。
【００１５】
製氷皿２が離氷位置まで到達するとスイッチ信号が発生し、モータ６が一旦停止する。その後製氷皿２は原点方向に向かって復帰し始める。この復帰の過程で規制部材１１は検知部材１０の回動を阻止するのでスイッチ信号が発生する。そのスイッチ信号が原点位置を検知するための基準信号となり、そのスイッチ信号の後さらにカム歯車８が所定時間逆転すると原点位置を示すスイッチ信号が発生する。
【００１６】
カム歯車８は原点位置のスイッチ信号発生後もさらに１°逆転しロックして停止した後、今度は１°正転し原点位置で停止する。
【００１７】
一方、貯氷箱１２内の所定の高さ以上に氷があるときは、検氷軸９が回動しようとしても氷検知レバー３が氷に当たり回動を阻止されるため、検知部材１０が回動せずスイッチ信号が発生し氷十分と判断し、製氷皿２は原点位置に向かって復帰し始める。そして原点信号発生後カム歯車がロックするまで１°逆転させ、その後１°正転させて停止させることで原点位置に停止することができる。
【００１８】
【発明が解決しようとする課題】
しかしながら、上記従来の自動製氷装置は、構造が複雑であるという欠点があった。
【００１９】
本発明は、上記課題を解決するもので、簡素な構造で安価な自動製氷装置を提供することを目的とする。
【００２０】
【課題を解決するための手段】
この目的を達成するために本発明は、製氷が完了した製氷皿を回転させて前記製氷皿内の氷を貯氷箱内へ落下させる自動製氷装置であって、スイッチ操作カムが設けられ、前記製氷皿を回転させるカム歯車と、ボタンを有するスイッチと、第１の突起と第２の突起とを備え、第１の突起が前記スイッチの前記ボタンを押しきる方向に付勢され、第２の突起が前記スイッチ操作カムの凸部に接触しているときには前記第１の突起が前記スイッチの前記ボタンから離れるスイッチレバーとを備え、前記スイッチは、前記スイッチレバーの前記第１の突起が前記ボタンから離れているときスイッチ信号はＨｉであり、前記第１の突起が前記ボタンを押しきるときスイッチ信号をＬｏへ反転させ、前記カム歯車は、前記製氷皿が水平となる位置を離氷方向とは反対方向へ所定角度を超えて回転する区間を有しており、その区間において前記スイッチに所定の信号を継続して出力させるように前記スイッチレバーを操作するように構成したものであり、カム歯車が水平に戻るのに必要十分な時間だけ所定信号を維持できるので水平位置検知が容易となり、簡素な構造で安価な自動製氷装置を提供することができる。
【００２１】
【発明の実施の形態】
以下、本発明による自動製氷装置の実施の形態について、図面を参照しながら説明する。なお、従来と同一構成については、同一符号を付して詳細な説明を省略する。
【００２２】
図１から図１８において、１１０は駆動部で、内部にモータ１１１、モータ１１１の回転を減速するウォーム歯車１１２、ウォームホイール歯車１１３、駆動歯車１１４、カム歯車１１５を配置している。
【００２３】
駆動歯車１１４には、カム歯車１１５と噛み合う歯の領域に、一つの正規歯１１４ａとそれ以外の歯を噛み合いピッチ円の丈で切り取った形状の低歯１１４ｂとからなる特殊歯車領域１１４ｃと、完全な歯車からなる正規歯車領域１１４ｄを軸方向に隣接させて設けている。
【００２４】
カム歯車１１５には、原点位置にあるとき駆動歯車１１４の正規歯車領域１１４ｄと噛み合わない欠歯部１１５ａと，複数の低歯１１４ｂの歯先が摺動する凹面部１１５ｂと、完全な歯車部１１５ｃを設けている。欠歯部１１５ａと凹面部１１５ｂは軸方向に隣接させて並べて設けており、円周方向左右は完全な歯車部１１５ｃに挟まれている。凹面部１１５ｂの幅は完全な歯車部１１５ｃの歯幅よりも短く形成している。
【００２５】
複数の低歯１１４ｂと凹面部１１５ｂが向かい合ったときは、お互いに外周がすべり接触するだけで動力は伝達されない。そして、凹面部１１５ｂの側面に正規歯１１４ａが接触したときから動力が伝達され、駆動歯車１１４の正規歯車領域１１４ｄとカム歯車１１５の完全な歯車部１１５ｃが噛み合う。
【００２６】
１１６は回動軸で、駆動部１１０の外側に位置する取り付け部１１６ａと、駆動部１１０の内側に位置する従動部１１６ｂと、従動部１１６ｂに連動して変位する従動突起１１６ｃからなる。取り付け部１１６ａには氷検知レバー３が取り付けられる。
【００２７】
１１７は回動軸１１６を回動させる回動許容カムで、カム歯車１１５上に設けられる。回動許容カム１１７は、凸部１１７ａと凹部１１７ｂから成り、回動軸１１６の従動部１１６ｂが、凸部１１７ａと接触しているときは氷検知レバー３は貯氷箱１２の上方に静止しており、従動部１１６ｂが凹部１１７ｂに入り込んだときに、従動部１１６ｂは所定角度だけ回動することができる。このとき氷検知レバー３は貯氷箱１２の内部へ進入する。
【００２８】
ただし、貯氷箱１２の内部に氷が所定の高さ以上存在するときは、氷検知レバー３が氷に当たり進入を阻止されるので、回動軸１１６の回動が阻止される。
【００２９】
そして、従動部１１６ｂが再び凸部１１７ａに到達したとき、回動軸１１６が氷検知レバー３を貯氷箱１２から退出させる方向に回動する。
【００３０】
１１８はスイッチ部であり、スイッチ１１９とスイッチレバー１２０からなる。スイッチレバー１２０は、軸部１２０ａ、バネ保持部１２０ｂ、第１の突起１２０ｃ、第２の突起１２０ｄ、第３の突起１２０ｅからなる。
【００３１】
軸部１２０ａは駆動部１１０の外郭ケース１１０ａに設けられた軸受１１０ｂに保持され、第１の突起１２０ｃはスイッチ１１９のボタン１１９ａに向かい合う位置に配置され、第２の突起１２０ｄは後述のスイッチ操作カム１２１に接触する位置に配置され、第３の突起１２０ｅは回動軸１１６が所定角度以上回動したときに従動突起１１６ｃと接触する位置に配置されている。
【００３２】
スイッチ操作カム１２１はカム歯車１１５上に設けられており、凸部１２１ａと、凹部１２１ｂからなる。スイッチ操作カム１２１にはスイッチレバー１２０の第２の突起１２０ｄが接触する。
【００３３】
１２２は一端を外郭ケース１１０ａのバネ保持棒１１０ｃに保持され、他端をスイッチレバー１２０のバネ保持部１２０ｂに保持されたバネであり、スイッチレバー１２０の第１の突起１２０ｃがスイッチ１１９のボタン１１９ａを押しきる方向に付勢している。
【００３４】
第２の突起１２０ｄがスイッチ操作カム１２１の凸部１２１ａに接触しているときには第１の突起１２０ｃはスイッチ１１９のボタン１１９ａから離れおり、第２の突起１２０ｄがスイッチ操作カムの凹部１２１ｂに接触したときには、第１の突起１２０ｃはスイッチ１１９のボタン１１９ａを押しきる。
【００３５】
なお、回動軸１１６の従動部１１６ｂが回動許容カム１１７の凹部１１７ｂに至り回動軸１１６が所定角度以上回動したときは、第２の突起１２０ｄがスイッチ操作カム１２１の凸部１２１ａとの接触から凹部１２１ｂとの接触にかわる前に、従動突起１１６ｃがスイッチレバー１２０の第３の突起１２０ｅを押さえるので、第１の突起１２０ｃはスイッチ１１９のボタン１１９ａを押しきることはできない。
【００３６】
１２３は一端を回動軸１１６のバネ保持部１１６ｄに保持され、他端を外郭ケース１１０ａのバネ保持棒１１０ｄに保持されたバネであり、回動軸１１６の従動部１１６ｂを常に回動許容カム１１７に押しつける方向に付勢している。
【００３７】
以上の様に構成された自動製氷装置について、図２１を参照しながら以下その動作を説明する。
【００３８】
まず、貯氷箱１２の所定高さまで氷がない（氷不足）場合の動作（図１９参照）について説明する。
【００３９】
製氷の完了を検知すると、モータ１１１に通電が開始され、モータ１１１が正転し、駆動歯車１１４が回転する（ステップ１）。だだし原点位置では、図２、図６に示すように複数の低歯１１４ｂと凹面部１１５ｂが向かい合い外周で滑り接触しているだけなので、駆動歯車１１４の回転がカム歯車１１５に伝達されない。
【００４０】
このときのスイッチレバー１２０の第２の突起１２０ｄは、図８に示すようにスイッチ操作カム１２１の凸部１２１ａの頂部と接触しているため、第１の突起１２０ｃがスイッチ１１９のボタン１１９ａから離れているのでスイッチ信号はＨｉである。
【００４１】
一方、制御部は、モータ回転開始時間を起点にスイッチ信号がＨｉ信号を出力している時間のカウントを開始する（ステップ２）。
【００４２】
そして、駆動歯車１１４が所定角度回転して、特殊歯車領域１１４ｃの中の正規歯１１４ａが、凹面部１１５ｂの側面と噛み合うと、カム歯車１１５に回転が伝達され、カム歯車１１５は正転を開始し、カム歯車１１５の正転に連動して製氷皿２が離氷方向に回転し始める。
【００４３】
カム歯車１１５が所定角度（１０°）回転したところで、回動軸１１６の従動部１１６ｂが回動許容カム１１７の凸部１１７ａの頂部から凹部１１７ｂに向かう傾斜面に移動し回動し始め、氷検知レバー３が貯氷箱１２内に進入する。
【００４４】
カム歯車１１５が所定角度以上回転して、回動軸１１６の回動が所定角度（２５°）を超えると図１０に示すように従動突起１１６ｃがスイッチレバー１２０の第３の突起１２０ｅを押さえるので、第１の突起１２０ｃがスイッチ１１９のボタン１１９ａを押すことができず、回動軸１１６の角度が２５°未満になるまでスイッチ信号はＨｉの状態を続ける。
【００４５】
なお、カム歯車１１５の角度が２０°〜８０°の間は、回動軸１１６の従動部１１６ｂが回動許容カム１１７の凹部１１７ｂの位置にきて、氷検知レバー３の回動が貯氷箱１２内の氷との当接により止められなければ回動軸１１６の回動角度が３５°になる。
【００４６】
カム歯車１１５が約８４°正転したところで、回動軸１１６の角度が２５°未満になり、従動突起１１６ｃが第３の突起１２０ｅから離れるので、第１の突起１２０ｃがスイッチ１１９のボタン１１９ａを押し、スイッチ信号はＬｏに反転する（ステップ３をＹｅｓ側に分岐）。
【００４７】
これにより、制御部は、スイッチ信号がＨｉ信号を出力している時間のカウントを終了する（ステップ４）。今回の場合、スイッチ信号のＨｉ状態が、カム歯車１１５が３０°回転するのに十分な所定時間（例えば３秒）を越えていることから、氷不足と判断し（ステップ５をＹｅｓ側に分岐）、モータ１１１への通電を継続することでカム歯車１１５の正転を継続させる。
【００４８】
カム歯車１１５が９０°正転したところで、図１１、図１２に示すように、回動軸１１６の従動部１１６ｂが回動許容カムの凹部１１７ｂから凸部１１７ａの頂部へ移り、氷検知レバー３が元の待機位置にもどる。
【００４９】
そして、製氷皿２の最大回動位置の少し手前から製氷皿２は阻止部５に当たり、製氷皿２の最大回動位置で十分捩られて製氷皿２内の氷を貯氷箱１２内へ落下させる。
【００５０】
カム歯車１１５の正転が１６０°を超えると、スイッチレバー１２０の第２の突起１２０ｄがスイッチ操作カム１２１の凸部１２１ａと当接し、第１の突起１２０ｃがスイッチ１１９のボタン１１９ａから離れ、スイッチ信号がＨｉへ反転する（ステップ６をＹｅｓ側に分岐）。制御部はスイッチ信号のＨｉへの反転で、製氷皿２が離氷位置に到達したと判断し、モータ１１１を所定時間停止させる（ステップ７）。この状態を示すのが図１３、図１４である。その後、今度はモータ１１１の回転方向をかえて製氷皿２を復帰させ始める（ステップ８）。
【００５１】
復帰後すぐに（カム歯車１１５の角度が１６０°以下になると）、第２の突起１２０ｄが、スイッチ操作カム１２１の凸部１２１ａの頂部から凹部１２１ｂに移動しスイッチ信号はＬｏに反転する（ステップ９をＹｅｓ側に分岐）。
【００５２】
製氷皿２の復帰過程で、回動軸１１６の従動部１１６ｂが回動許容カム１１７の凸部１１７ａから凹部１１７ｂへ移動した際に所定角度以上回動し、従動突起１１６ｃが第３の突起１２０ｅを押さえるため、今度はスイッチ信号がＨｉに反転する（ステップ１０をＹｅｓ側に分岐）。
【００５３】
さらに製氷皿２は回転して原点位置に到達し、再び特殊歯車領域１１４ｃの低歯１１４ｂと凹面部１１５ｂが向かい合い外周で滑り接触するだけとなり、駆動歯車１１４の回転がカム歯車１１５に伝達されなくなりカム歯車１１５は原点位置で停止した状態となる。
【００５４】
さらにモータ１１１への通電を継続しカム歯車１１５の停止状態が解除されると、図１５、図１６に示すように、カム歯車１１５が原点位置を２０°越えたところでスイッチ信号はＬｏに反転する（ステップ１１をＹｅｓ側に分岐）。ここで制御部はモータ１１１の回転を所定時間停止し、カム歯車１１５の回転を一旦止め（ステップ１２）、そして再びモータ１１１の回転方向を変えて（ステップ１３）カム歯車１１５を約２０°戻し水平とする。この場合、スイッチ信号がＨｉになったことを確認して（ステップ１４をＹｅｓ側に分岐）、カム歯車１１５が水平に戻るのに必要十分な時間である１秒後にモータ１１１への通電を停止する（ステップ１５、ステップ１６）。
【００５５】
次に、貯氷箱１２の所定高さ以上に氷が存在する（氷十分）場合の動作（図２０参照）について説明する。
【００５６】
製氷の完了を検知すると、モータ１１１に通電が開始され駆動歯車１１４が回転する（ステップ１）。ただし原点位置では低歯１１４ｂと凹面部１１５ｂが向かい合い外周で滑り接触しているだけなので、駆動歯車１１４の回転がカム歯車１１５に伝達されない。
【００５７】
このときのスイッチレバー１２０の第２の突起１２０ｄは、図８に示すようにスイッチ操作カム１２１の凸部１２１ａの頂部と接触しているため、第１の突起１２０ｃがスイッチ１１９のボタン１１９ａから離れているのでスイッチ信号はＨｉである。
【００５８】
一方、制御部は、モータ回転開始時間を起点にスイッチ信号がＨｉ信号を出力している時間のカウントを開始する（ステップ２）。
【００５９】
そして、駆動歯車１１４が所定角度回転して、特殊歯車領域１１４ｃの中の正規歯１１４ａが、凹面部１１５ｂの側面と噛み合うと、カム歯車１１５に回転が伝達され、カム歯車１１５は正転を開始し、カム歯車１１５の正転に連動して製氷皿２が離氷方向に回転し始める。カム歯車１１５が所定角度（２０°）回転したところで、回動軸１１６の従動部１１６ｂが回動許容カム１１７の凸部１１７ａから凹部１１７ｂに移動し回動し始め、氷検知レバー３が貯氷箱１２内に進入する。
【００６０】
カム歯車１１５が所定角度（１０°）回転したところで、回動軸１１６の従動部１１６ｂが回動許容カム１１７の凸部１１７ａの頂部から凹部１１７ｂに向かう傾斜面に移動し回動し始め、氷検知レバー３が貯氷箱１２内に進入する。
【００６１】
しかし、氷検知レバー３は貯氷箱１２内の氷に当たり、それ以上進入できず回動軸１１６の回動を阻止する。
【００６２】
回動軸１１６の回動が所定角度（２５°）に到達しないため、図１８に示すように従動突起１１６ｃがスイッチレバー１２０の第３の突起１２０ｅを押さえることができず、第２の突起１２０ｄがスイッチ操作カム１２１の凸部１２１ａの頂部から凹部１２１ｂに移動した瞬間に、第１の突起１２０ｃがスイッチ１１９のボタン１１９ａを押し切り、スイッチ信号をＬｏへ反転させる（ステップ３）。
【００６３】
これにより、制御部は、スイッチ信号がＨｉ信号を出力している時間のカウントを終了する（ステップ４）。今回の場合、スイッチ信号のＨｉ状態が、カム歯車１１５が３０°回転するのに十分な所定時間（例えば３秒）以内であることから、氷十分と判断し（ステップ５をＮｏ側に分岐）、製氷皿２の回転を停止し（ステップ１７）、モータ１１１の回転方向を変えて、カム歯車１１５を原点方向へ向かって復帰させる（ステップ１８）。
【００６４】
復帰後すぐに（カム歯車１１５の角度が３０°以下になると）、第２の突起１２０ｄが、スイッチ操作カム１２１の凹部１２１ｂから凸部１２１ａに移動しスイッチ信号はＨｉに反転する（ステップ１９をＹｅｓ側に分岐）。
【００６５】
さらに製氷皿２は回転して原点位置に到達し、再び特殊歯車領域１１４ｃの低歯１１４ｂと凹面部１１５ｂが向かい合い外周で滑り接触するだけとなり、駆動歯車１１４の回転がカム歯車１１５に伝達されなくなりカム歯車１１５は原点位置で停止した状態となる。
【００６６】
さらにモータ１１１への通電を継続しカム歯車１１５の停止状態が解除されると、図１５、図１６に示すように、カム歯車１１５が原点位置を２０°越えたところでスイッチ信号はＬｏに反転する（ステップ１１をＹｅｓ側に分岐）。ここで制御部はモータ１１１の回転を所定時間停止し、カム歯車１１５の回転を一旦止め（ステップ１２）、そして再びモータ１１１の回転方向を変えて（ステップ１３）カム歯車１１５を約２０°戻し水平とする。この場合、スイッチ信号がＨｉになったことを確認して（ステップ１４をＹｅｓ側に分岐）、カム歯車１１５が水平に戻るのに必要十分な時間である１秒後にモータ１１１への通電を停止する（ステップ１５、ステップ１６）。
【００６７】
以上のように本実施の形態の自動製氷装置は、駆動部１１０内に、製氷皿２を回転させるカム歯車１１５と、カム歯車１１５を駆動する駆動歯車１１４を配置し、駆動歯車１１４は特殊歯車領域１１４ｃと正規歯車領域１１４ｄを軸方向に隣接して有し、特殊歯車領域１１４ｃは正規歯車領域の歯と同じ歯先になっている一つの正規歯１１４ａを有し、かつ残りの歯の歯先が正規歯車領域１１４ｄの歯の歯先より低くカットされた複数の低歯１１４ｂを有しており、カム歯車１１５は原点位置にあるとき駆動歯車１１４の正規歯車領域１１４ｄと対向する部分に正規歯車領域１１４と噛み合わない欠歯部１１５ａを有し、かつ原点位置にあるとき駆動歯車１１４の特殊歯車領域１１４ｃと対向する部分に特殊歯車領域１１４ｃの複数の低歯１１４ｂの歯先が同時に摺動する凹面部１１５ｂを有する構成としたのである。
【００６８】
これにより、製氷皿２が水平位置（原点位置）に到達したとき、駆動歯車１１４の正規歯車領域１１４ｄとカム歯車１１５の欠歯部１１５ａが対向するので、駆動歯車１１４の回転力がカム歯車１１５に伝達されなくなり、カム歯車１１５はロックすることなく停止する。この結果、モータと駆動部への機械的負荷が軽減され耐久性が向上する。また、従来例のような電流制限が不必要となるので、抵抗器を内蔵する必要もなく安価な自動製氷装置を提供することができる。
【００６９】
さらに製氷皿２が水平位置に到達したとき、駆動歯車１１４の特殊歯車領域１１４ｃの複数の低歯１１４ｂの歯先が、カム歯車１１５の凹面部１１５ｂに同時に摺動する接触するので、製氷皿２を水平位置に保持した状態で停止でき、水平位置（原点位置）におけるカム歯車１１５の回転方向のガタツキが小さく製氷皿２の傾きが発生しないため、厚さの均一な氷を生成することができる。
【００７０】
また、本実施の形態の自動製氷装置は、製氷が完了した製氷皿２を回転させて製氷皿２内の氷を貯氷箱１２内へ落下させる自動製氷装置であって、スイッチ操作カム１２１が設けられ、製氷皿２を回転させるカム歯車１１５と、ボタン１１９ａを有するスイッチ１１９と、第１の突起１２０ｃと第２の突起１２０ｄとを備え、第１の突起１２０ｃがスイッチ１１９のボタン１１９ａを押しきる方向に付勢され、第２の突起１２０ｄが前記スイッチ操作カム１２１の凸部１２１ａに接触しているときには第１の突起１２０ｃがスイッチ１１９のボタン１１９ａから離れるスイッチレバー１２０とを備え、スイッチ１１９は、スイッチレバー１２０の第１の突起１２０ｃがボタン１１９ａを押しきっているときと第１の突起１２０ｃがボタン１１９ａから離れているときとでスイッチ信号が異なっており、カム歯車１１５は、製氷皿２が水平となる位置を離氷方向とは反対方向へ所定角度を超えて回転する区間を有しており、その区間においてスイッチ１１９に所定の信号を継続して出力させるようにスイッチレバー１２０を操作するように構成したものであり、カム歯車１１５を水平に戻るのに必要十分な時間だけ所定信号を維持できるので水平位置検知が容易となり、簡素な構造で安価な自動製氷装置を提供することができる。
【００７１】
【発明の効果】
以上説明したように本発明は、製氷が完了した製氷皿を回転させて前記製氷皿内の氷を貯氷箱内へ落下させる自動製氷装置であって、スイッチ操作カムが設けられ、前記製氷皿を回転させるカム歯車と、ボタンを有するスイッチと、第１の突起と第２の突起とを備え、第１の突起が前記スイッチの前記ボタンを押しきる方向に付勢され、第２の突起が前記スイッチ操作カムの凸部に接触しているときには前記第１の突起が前記スイッチの前記ボタンから離れるスイッチレバーとを備え、前記スイッチは、前記スイッチレバーの前記第１の突起が前記ボタンを押しきっているときと前記第１の突起が前記ボタンから離れているときとでスイッチ信号が異なっており、前記カム歯車は、前記製氷皿が水平となる位置を離氷方向とは反対方向へ所定角度を超えて回転する区間を有しており、その区間において前記スイッチに所定の信号を継続して出力させるように前記スイッチレバーを操作するように構成したものであり、カム歯車を水平に戻るのに必要十分な時間だけ所定信号を維持できるので水平位置検知が容易となり、簡素な構造で安価な自動製氷装置を提供することができる。
【図面の簡単な説明】
【図１】本発明の一実施の形態による自動製氷装置の全体を示す側面図
【図２】同実施の形態の自動製氷装置における駆動部の平面図
【図３】同実施の形態の自動製氷装置における駆動部からカム歯車を取り去った状態を示す平面図
【図４】同実施の形態の自動製氷装置における駆動部のカム歯車を示す斜視図
【図５】同実施の形態の自動製氷装置におけるカム歯車の回動許容カムとスイッチ操作カムを示す斜視図
【図６】同実施の形態の自動製氷装置における駆動部の駆動歯車とカム歯車の噛み合いを示す斜視図
【図７】同実施の形態の自動製氷装置におけるカム歯車の原点位置にあるときの要部平面図
【図８】同実施の形態の自動製氷装置におけるカム歯車の原点位置にあるときの要部正面図
【図９】同実施の形態の自動製氷装置におけるカム歯車の３０°正転時の要部平面図
【図１０】同実施の形態の自動製氷装置におけるカム歯車の３０°正転時の要部正面図
【図１１】同実施の形態の自動製氷装置におけるカム歯車の９０°正転時の要部平面図
【図１２】同実施の形態の自動製氷装置におけるカム歯車の９０°正転時の要部正面図
【図１３】同実施の形態の自動製氷装置におけるカム歯車の１６５°正転時の要部平面図
【図１４】同実施の形態の自動製氷装置におけるカム歯車の１６５°正転時の要部正面図
【図１５】同実施の形態の自動製氷装置におけるカム歯車の２０°逆転時の要部平面図
【図１６】同実施の形態の自動製氷装置におけるカム歯車の２０°逆転時の要部正面図
【図１７】同実施の形態の自動製氷装置における氷充分の場合のカム歯車の３０°正転時の要部平面図
【図１８】同実施の形態の自動製氷装置における氷充分の場合のカム歯車の３０°正転時の要部正面図
【図１９】同実施の形態の自動製氷装置における氷不足時の動作モードを示すタイムチャート
【図２０】同実施の形態の自動製氷装置における氷充分時の動作モードを示すタイムチャート
【図２１】同実施の形態の自動製氷装置の制御部の動作を示すフローチャート
【図２２】従来の自動製氷装置の全体を示す側面図
【図２３】従来の自動製氷装置の駆動部の一部破断拡大平面図
【符号の説明】
２        製氷皿
３        氷検知レバー
１２      貯氷箱
１１５    カム歯車
１１６    回動軸
１１６ａ  取り付け部
１１６ｂ  従動部
１１６ｃ  従動突起
１１７    回動許容カム
１１７ｂ  凹部
１１９    スイッチ
１１９ａ  ボタン
１２０    スイッチレバー
１２０ｃ  第１の突起
１２０ｄ  第２の突起
１２１    スイッチ操作カム
１２１ａ  凸部
【図１】
0003563718.tif 000002
【図２】
0003563718.tif 000003
【図３】
0003563718.tif 000004
【図４】
0003563718.tif 000005
【図５】
0003563718.tif 000006
【図６】
0003563718.tif 000007
【図７】
0003563718.tif 000008
【図８】
0003563718.tif 000009
【図９】
0003563718.tif 000010
【図１０】
0003563718.tif 000011
【図１１】
0003563718.tif 000012
【図１２】
0003563718.tif 000013
【図１３】
0003563718.tif 000014
【図１４】
0003563718.tif 000015
【図１５】
0003563718.tif 000016
【図１６】
0003563718.tif 000017
【図１７】
0003563718.tif 000018
【図１８】
0003563718.tif 000019
【図１９】
0003563718.tif 000020
【図２０】
0003563718.tif 000021
【図２１】
0003563718.tif 000022
【図２２】
0003563718.tif 000023
【図２３】
0003563718.tif 000024